(57)【特許請求の範囲】
【請求項１】
高温再生器、低温再生器、凝縮器、蒸発器、および吸収器を備えて構成される吸収冷温水機において、
低温再生器から吸収器へと供給される濃吸収液との間で熱交換を行う低温熱交換器が上流側に設けられ、高温再生器から低温再生器へと供給される中間吸収液との間で熱交換を行う高温熱交換器が下流側に設けられた吸収器から高温再生器に至る稀吸収液管の低温熱交換器と高温熱交換器との間に、コジェネレーションシステムから供給される排熱との間で熱交換を行う排熱熱交換器と、高温再生器から供給される排ガスとの間で熱交換を行う排ガス熱交換器とを設け、前記低温熱交換器寄りに前記排熱熱交換器を、前記高温熱交換器寄りに排ガス熱交換器を配設したことを特徴とする排熱投入型吸収冷温水機。
【請求項２】
高温熱交換器から低温再生器に至る中間吸収液管の途中にフラッシュボックスを設けたことを特徴とする請求項１記載の排熱投入型吸収冷温水機。
【請求項３】
高温再生器、低温再生器、凝縮器、蒸発器、および吸収器を備えて構成される吸収冷温水機において、
低温再生器から吸収器へと供給される濃吸収液との間で熱交換を行う低温熱交換器が上流側に設けられ、高温再生器から低温再生器へと供給される中間吸収液との間で熱交換を行う高温熱交換器が下流側に設けられた吸収器から高温再生器に至る稀吸収液管の低温熱交換器と高温熱交換器との間に、コジェネレーションシステムなどから供給される排熱との間で熱交換を行う排熱熱交換器を設けると共に、高温熱交換器の下流側の稀吸収液管に高温再生器から供給される排ガスとの間で熱交換を行う排ガス熱交換器を設けたことを特徴とする排熱投入型吸収冷温水機。
【請求項４】
高温再生器、低温再生器、凝縮器、蒸発器、および吸収器を備えて構成される吸収冷温水機において、
低温再生器から吸収器へと供給される濃吸収液との間で熱交換を行う低温熱交換器が上流側に設けられ、高温再生器から低温再生器へと供給される中間吸収液との間で熱交換を行う高温熱交換器が下流側に設けられた吸収器から高温再生器に至る稀吸収液管の低温熱交換器の下流側に、コジェネレーションシステムなどから供給される排熱との間で熱交換を行う排熱熱交換器を設けると共に、この排熱熱交換器の下流側の稀吸収液管を分岐し、分岐した一方の稀吸収液管には高温熱交換器を配設し、他方の前記高温熱交換器を備えない稀吸収液管には、高温再生器から供給される排ガスとの間で熱交換を行う排ガス熱交換器を配設したことを特徴とする排熱投入型吸収冷温水機。
【発明の詳細な説明】
【０００１】
【発明の属する技術分野】
この発明は、吸収冷温水機に関するものである。
【０００２】
【従来の技術】
従来の吸収冷温水機の1例を、図5に示す。
高温再生器４のバーナ５が燃焼し、吸収器３から流れて来た稀吸収液が加熱され、沸騰し、冷媒蒸気が稀吸収液から分離する。これにより稀吸収液が凝縮され、濃度が中程度の中間吸収液になる。
【０００３】
冷媒蒸気は冷媒蒸気管１３を経て低温再生器１１へ流れ、高温再生器4からの中間吸収液を加熱して凝縮し、冷媒液となって、凝縮器１２へ流れる。そして凝縮器１２では低温再生器１１から流れて来た冷媒蒸気が、冷却水管２９の冷却水により冷却され凝縮して冷媒液になり、低温再生器１１から流れて来た冷媒液と共に、蒸発器2へ流下する。
【０００４】
蒸発器2では冷媒ポンプＰ２の運転によって、冷媒液が散布装置３１から散布され、蒸発する冷媒により冷却されて温度が低下した冷水管２１の冷水が、負荷に供給される。蒸発器2で蒸発した冷媒蒸気は吸収器3へ流れ、散布される濃吸収液に吸収される。
【０００５】
他方、高温再生器４で冷媒蒸気が分離して濃度が上昇した中間吸収液は中間吸収液管２２、高温熱交換器８、中間吸収液管２３を経て低温再生器１１へ流れる。この低温再生器１１において、中間吸収液は、高温再生器４からの冷媒蒸気が内部を流れる加熱器１４によって加熱され、冷媒蒸気が分離して吸収液の濃度はさらに上昇し、濃吸収液になる。
【０００６】
この濃吸収液は濃吸収液管２５へ流入して低温熱交換器７及び濃吸収液管２６を経て吸収器３へ流れ、散布装置３０から冷却水管２９の上に滴下する。そして、冷却された濃吸収液は、蒸発器２を経由して入ってくる冷媒蒸気を、よく吸収して冷媒濃度が高くなり、稀吸収液になる。この稀吸収液は、吸収液ポンプＰ１の駆動力により、低温熱交換器7および高温熱交換器8で予熱され、高温再生器4に流入する。
【０００７】
そして、高温再生器４に備えられたバーナ５から出る排ガス３３は、一般的に利用されずに大気中に排気されていたが、吸収冷温水機の省エネルギー性の向上が求められ、この排ガス３３を利用するものが、特開平6−２５７８７８号公報に記載されている。
【０００８】
【発明が解決しようとする課題】
しかしながら、この公報の従来技術は、高温再生器からの排ガスの排熱を利用するために、新たに排熱回収用低温再生器を追加して設けるものであり、追加設備が大きなものとなり、吸収冷温水機のコストを高くしてしまうものであった。この発明は、以上の課題を解決するためになされたもので、高温再生器からの排ガスを利用して省エネルレギー性を向上できる安価な排熱投入型吸収冷温水機を提供することを目的とする。
【０００９】
【課題を解決するための手段】
上記の課題を解決するために、第１の発明は、高温再生器、低温再生器、凝縮器、蒸発器、および吸収器を備えて構成される吸収冷温水機において、低温再生器から吸収器へと供給される濃吸収液との間で熱交換を行う低温熱交換器が上流側に設けられ、高温再生器から低温再生器へと供給される中間吸収液との間で熱交換を行う高温熱交換器が下流側に設けられた吸収器から高温再生器に至る稀吸収液管の低温熱交換器と高温熱交換器との間に、コジェネレーションシステムなどから供給される排熱との間で熱交換を行う排熱熱交換器と、高温再生器から供給される排ガスとの間で熱交換を行う排ガス熱交換器とを設け、前記低温熱交換器寄りに前記排熱熱交換器を、前記高温熱交換器寄りに前記排ガス熱交換器を配設したことを特徴とする排熱投入型吸収冷温水機である。
【００１０】
第２の発明は、さらに、高温熱交換器から低温再生器に至る中間吸収液管の途中にフラッシュボックスを設けたことを特徴とする排熱投入型吸収冷温水機である。
【００１１】
第３の発明は、高温再生器、低温再生器、凝縮器、蒸発器、および吸収器を備えて構成される吸収冷温水機において、低温再生器から吸収器へと供給される濃吸収液との間で熱交換を行う低温熱交換器が上流側に設けられ、高温再生器から低温再生器へと供給される中間吸収液との間で熱交換を行う高温熱交換器が下流側に設けられた吸収器から高温再生器に至る稀吸収液管の低温熱交換器と高温熱交換器との間に、コジェネレーションシステムなどから供給される排熱との間で熱交換を行う排熱熱交換器を設けると共に、高温熱交換器の下流側の稀吸収液管に高温再生器から供給される排ガスとの間で熱交換を行う排ガス熱交換器を設けたことを特徴とする排熱投入型吸収冷温水機である。
【００１２】
第４の発明は、高温再生器、低温再生器、凝縮器、蒸発器、および吸収器を備えて構成される吸収冷温水機において、低温再生器から吸収器へと供給される濃吸収液との間で熱交換を行う低温熱交換器が上流側に設けられ、高温再生器から低温再生器へと供給される中間吸収液との間で熱交換を行う高温熱交換器が下流側に設けられた吸収器から高温再生器に至る稀吸収液管の低温熱交換器の下流側に、コジェネレーションシステムなどから供給される排熱との間で熱交換を行う排熱熱交換器を設けると共に、この排熱熱交換器の下流側の稀吸収液管を分岐し、分岐した一方の稀吸収液管には高温熱交換器を配設し、他方の前記高温熱交換器を備えない稀吸収液管には、高温再生器から供給される排ガスとの間で熱交換を行う排ガス熱交換器を配設したことを特徴とする排熱投入型吸収冷温水機である。
【００１３】
【発明の実施の形態】
この発明の1実施形態を図1に基づいて説明する。
【００１４】
図５に示した吸収冷温水機と異なる点について説明すると、この図１に示した吸収冷温水機の吸収器３から高温再生器４に稀吸収液を供給する稀吸収液管６の低温熱交換器７と高温熱交換器８との間に、排熱熱交換器３５と排ガス熱交換器３７が設けられ、吸収器3から出た稀吸収液は4つの熱交換器7、３５、３７、8それぞれで加熱されて高温再生器4に流入することになる。
【００１５】
稀吸収液管６の最上流側には、低温再生器１１から流れてくる濃吸収液との間で熱交換を行う低温熱交換器７が設けられ、そのすぐ下流側に例えば図示しないコ・ジェネレーションシステム（熱電併給）から供給される排熱との間で熱交換を行う排熱熱交換器３５が設けられ、コ・ジェネレーションシステムの冷却水などが循環供給され、稀吸収液管6を流れる稀吸収液が加熱される。
【００１６】
排熱熱交換器３５の下流には、高温再生器４に備えられたバーナ５から出る排ガス３３との間で熱交換を行う排ガス熱交換器３７が設けられ、ここでも稀吸収液は加熱される。そして、この排ガス熱交換器３７を出た排ガス３３は、大気へ排気される。排ガス熱交換器３７の下流には、高温再生器４から低温再生器に供給される高温の中間吸収液との間で熱交換を行う高温熱交換器8が設けられる。
【００１７】
上記のように横成した吸収冷温水機の運転時、高温再生器４のバーナ５が燃焼し、吸収器３から流れて来た稀吸収液が加熱される。この稀吸収液は、例えば臭化リチウム（ＬｉＢｒ）水溶液（界面活性剤を含む）などである吸収液が、水などの冷媒を多く含んだものである。この加熱により、稀吸収液が沸騰し、冷媒蒸気が稀吸収液から分離する。これにより稀吸収液が濃縮され、濃度が中程度の中間吸収液になる。
【００１８】
冷媒蒸気は冷媒蒸気管１３を経て低温再生器１１へ流れる。そして、低温再生器１１で高温再生器４からの中間吸収液を加熱して凝縮した冷媒液が、凝縮器１２へ流れる。凝縮器１２では低温再生器１１から流れて来た冷媒蒸気が、冷却水管２９の冷却水により冷却され凝縮して冷媒液になり、低温再生器１１から流れて来た冷媒液と共に、蒸発器2へ流下する。
【００１９】
蒸発器２では冷媒ポンプＰ２の運転によって、冷媒液が散布装置３１により散布される。そして、この散布によって冷却されて温度が低下した冷水管２１の冷水が、負荷に供給される。蒸発器２で気化した冷媒蒸気は吸収器３へ流れ、散布される濃吸収液に吸収される。
【００２０】
他方、高温再生器４で冷媒蒸気が分離して濃度が上昇した中間吸収液は中間吸収液管２２、高温熱交換器８、中間吸収液管２３を経て低温再生器１１へ流れる。この低温再生器１１において、中間吸収液は、高温再生器4からの冷媒蒸気が内部を流れる加熱器１４によって加熱される。そして、中間吸収液から冷媒蒸気が分離して吸収液の濃度はさらに上昇し、濃吸収液になる。
【００２１】
この濃吸収液は濃吸収液管２５へ流入して低温熱交換器７及び濃吸収液管２６を経て吸収器３へ流れ、散布装置３０から冷却水管２９の上に滴下する。そして、冷却水管２９によって冷却された濃吸収液は、蒸発器２を経由して入ってくる冷媒蒸気を、よく吸収して冷媒濃度が高くなり、稀吸収液になる。この稀吸収液は、吸収液ポンプＰ１の駆動力により、低温熱交換器７、排熱熱交換器３５、排ガス熱交換器３７、および高温熱交換器8で予熱され、高温再生器4に流入する。
【００２２】
すなわち、吸収器３から高温再生器４に供給される稀吸収液は、先ず低温熱交換器７において低温再生器１１から流れてくる濃吸収液との間で熱交換を行い、次に、排熱熱交換器３５においてコ・ジェネレーションシステムなどから供給される排熱との間で熱交換を行い、さらに排ガス熱交換器３７において高温再生器４のバーナ５から出る排ガスとの間で熱交換を行ない、最後に高温熱交換器８において高温再生器4から供給される高温の中間吸収液との間で熱交換を行う。
【００２３】
（実施形態の効果）
排熱熱交換器３５と排ガス熱交換器３７を高温熱交換器８の上流側の稀吸収液管６に設けることで、稀吸収液が高温の中間吸収液との間で熱交換を行う前に、コ・ジェネレーションシステムなどから供給される排熱や排ガスとの間で熱交換を行うことができるので、回収熱量を大きなものにすることが可能となる。
【００２４】
なお、以上の実施形態においては、稀吸収液は低温熱交換器７、排熱熱交換器３５、および排ガス熱交換３７における熱交換で相当に加熱されており、この稀吸収液との間で高温熱交換器８で熱交換を行った中間吸収液は、温度があまり下がらず、従来より相当に高くなっている。
【００２５】
そして、この中間吸収液が低温再生器１１に直接流入すると、放圧して急速蒸発を行うフラッシュが盛んになり、吸収液が冷媒蒸気へ混入してしまうことが考えられるので、図２に示すように高温熱交換器８から低温再生器１１に至る中間吸収液管２３の途中にフラッシュボックス３９を設け、十分にフラッシュを行わせた後の中間吸収液、及びフラッシュによって生じた冷媒蒸気をそれぞれ別々の管4１、４３によって低温再生器１１へ導くように横成することが好ましい。
【００２６】
（他の実施形態）
以上の実施形態においては、排ガス熱交換器３７を、排熱熱交換器３５と高温熱交換器８との間の稀吸収液管６に設けたが、他の実施形態においては、図３に示すように高温熱交換器8の下流側の稀吸収液管６に設けることも可能である。
【００２７】
この構成においては、稀吸収液管６の稀吸収液は、十分に暖まった状態で排ガスとの間で熱交換を行うことになるので、排ガスからの回収熱量は少ないものとなるが、排ガスの排熱を利用したCOP（エンタルピーをもとにした成績係数、あるいはエネルギー利用交換率）を高いものとすることができる。
【００２８】
また、以上の実施形態においては、高温熱交換器８と排ガス熱交換器３７とは、稀吸収液管６に直列に設けられるものであったが、他の実施形態においては図４に示すように並列に設けることが可能である。
【００２９】
すなわち、例えば排熱熱交換器３５が設けられている稀吸収液管６の下流側に分岐して再び合流する並流配管部４５を設け、分岐管の一方には高温熱交換器８を設け、他方の分岐管には排ガス熱交換器３７を設けるようにしても良い。
【００３０】
このように、熱交換器８と３７とを並列に設けることで、熱交換器部の小型化が可能となり、吸収冷温水機全体をもコンパクトにすることが可能となる。
【００３１】
【発明の効果】
以上説明したように、この発明によれば、吸収器から高温再生器に送る稀吸収液の加熱が従来以上に図られるので吸収温水機の省エネルギー性が向上する。
【００３２】
また、請求項１の発明によれば、高温熱交換器で中間吸収液により加熱する前に排ガスによる加熱を行うので、排ガスからの回収熱量を大きなものとすることができる。
【００３３】
また、請求項２の発明によれば、中間吸収液の低温再生器におけるフラッシュによる弊害、すなわち吸収液が冷媒蒸気に混入する可能性を小さくすることができる。
【００３４】
また、請求項３の発明によれば、排ガスからの回収熱量は請求項１の発明の場合よりは少なくなるものの、排ガスの排熱を利用したＣＯＰ（エンタルピーをもとにした成績係数、あるいはエネルギー利用効率）を高くできる。
【００３５】
また、請求項４の発明によれば、排ガス熱交換器と高温熱交換器を並列に設けることでこの部分の小型化が可能となり、これにより冷温水機全体の小型化も可能となる。
【図面の簡単な説明】
【図１】この発明の第１実施形態に係る排熱投入型吸収冷温水機の全体概略回路図である。
【図２】この発明の第２実施形態に係る排熱投入型吸収冷温水機の全体概略回路図である。
【図３】この発明の第３実施形態に係る排熱投入型吸収冷温水機の全体概略回路図である。
【図４】この発明の第４実施形態に係る排熱投入型吸収冷温水機の全体概略回路図である。
【図５】従来の吸収冷温水機の全体の概略回路図である。
【符号の説明】
１  蒸発吸収器胴
２  蒸発器
３  吸収器
４  高温再生器
５  バーナ
６  稀吸収液管
７  低温熱交換器
８  高温熱交換器
１０  高温胴
１１  低温再生器
１２  凝縮器
１３  冷媒蒸気管
１６  冷媒液流下管
１７  冷媒循環管
２１  冷水管
２２、２３  中間吸収液管
２５、２６  濃吸収液管
２９  冷却水管
３０、３１  散布装置
３５  排熱熱交換器
３７  排ガス熱交換器
３９  フラッシュボックス
４５  並流配管部
Ｐ１  吸収液ポンプ
Ｐ２  冷媒ポンプ
【図１】
0003723373.tif 000002
【図２】
0003723373.tif 000003
【図３】
0003723373.tif 000004
【図４】
0003723373.tif 000005
【図５】
0003723373.tif 000006